【手続補正書】
【提出日】平成26年9月22日(2014.9.22)
【手続補正１】
【補正対象書類名】明細書
【補正対象項目名】０００８
【補正方法】削除
【補正の内容】
【手続補正２】
【補正対象書類名】明細書
【補正対象項目名】０００９
【補正方法】変更
【補正の内容】
【０００９】
上記目的を達成するために、請求項１に記載した発明は、高圧ガスが貯留されるタンク（例えば、実施形態におけるタンク４）と、前記タンクに接続され、高圧ガスが流通する高圧ガス配管（例えば、実施形態における充填配管２１、充填供給配管２３、供給配管２４）と、前記高圧ガス配管を流通する高圧ガスを減圧する減圧弁（例えば、実施形態における減圧弁３１）と、前記高圧ガス配管、及び前記減圧弁のうち、少なくとも何れかの故障を検知する故障判断手段（例えば、実施形態における故障判断手段４１）と、前記高圧ガス配管内における前記減圧弁の下流の圧力を検出する圧力検出手段（例えば、実施形態における圧力センサ３４）と、前記故障判断手段により故障が検知された場合に、高圧ガスの充填開始動作を禁止する充填禁止手段と、を備え、前記故障判断手段は、前記圧力検出手段による検出圧力が所定範囲外の場合に前記減圧弁が故障していると特定することを特徴とする。
【手続補正３】
【補正対象書類名】明細書
【補正対象項目名】００１０
【補正方法】変更
【補正の内容】
【００１０】
請求項２に記載した発明では、高圧ガスが貯留されるタンクと、前記タンクに接続され、高圧ガスが流通する高圧ガス配管と、前記高圧ガス配管を流通する高圧ガスを減圧する減圧弁と、前記高圧ガス配管、及び前記減圧弁のうち、少なくとも何れかの故障を検知する故障判断手段と、前記故障判断手段により故障が検知された場合に、高圧ガスの充填開始動作を禁止する充填禁止手段（例えば、実施形態におけるリッド開閉判断手段４３等）と、を備え、前記故障判断手段は、ガス濃度、または前記高圧ガス配管内の圧力に基づいて、前記高圧ガス配管からのガス漏れ、前記減圧弁の調圧不良、及び高圧ガスの供給及び遮断を切り替える遮断弁（例えば、実施形態における主止弁２２、２次遮断弁３３）のシート不良のうち、少なくとも何れかを検知することを特徴とする。
【手続補正４】
【補正対象書類名】明細書
【補正対象項目名】００１１
【補正方法】変更
【補正の内容】
【００１１】
請求項３に記載した発明では、前記故障判断手段は、ガス濃度に基づいて、前記高圧ガス配管からのガス漏れ、前記減圧弁の調圧不良、及び前記高圧ガスの供給及び遮断を切り替える遮断弁のシート不良のうち、少なくとも何れかを検知することを特徴とする。
請求項４に記載した発明では、前記充填禁止手段は、ガス濃度が所定濃度以上の場合、及びガス濃度が所定濃度未満の場合であって、前記高圧ガス配管内の圧力が所定範囲外の場合に、高圧ガスの充填開始動作を禁止することを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
請求項１に記載した発明によれば、高圧ガス配管、及び減圧弁のうち、少なくとも何れかの故障を検知した場合に、高圧ガスの充填開始動作を禁止することで、高圧ガス配管や、減圧弁等が故障した状態で高圧ガスが充填されるのを未然に防ぐことができる。そのため、高圧ガス充填に伴う高圧ガス配管内の圧力上昇等により、リリーフバルブを通して高圧ガスが系外へ不要に放出されるのを抑制して、常に適正な高圧ガス利用に繋げることができる。
さらに、高圧ガス配管や減圧弁の故障時、高圧ガス利用システム側での充填開始動作を禁止することで、通信充填に対応していない高圧ガス供給ステーションや、通信充填機器が故障している高圧ガス供給ステーションから充填を行う場合であっても、高圧ガスが充填されるのを未然に防ぐことができる。その結果、不要な高圧ガスの放出を確実に抑制できる。
特に、圧力検出手段による検出結果（検出圧力）が所定圧力範囲外の場合に、減圧弁の故障を特定することができるため、早期に故障箇所の切り分けを行っての修理対応が可能になり、高圧ガスの不要な放出を一層未然に抑制できる。
【手続補正７】
【補正対象書類名】明細書
【補正対象項目名】００１８
【補正方法】変更
【補正の内容】
【００１８】
請求項２に記載した発明によれば、高圧ガス配管、及び減圧弁のうち、少なくとも何れかの故障を検知した場合に、高圧ガスの充填開始動作を禁止することで、高圧ガス配管や、減圧弁等が故障した状態で高圧ガスが充填されるのを未然に防ぐことができる。そのため、高圧ガス充填に伴う高圧ガス配管内の圧力上昇等により、リリーフバルブを通して高圧ガスが系外へ不要に放出されるのを抑制して、常に適正な高圧ガス利用に繋げることができる。
さらに、高圧ガス配管や減圧弁の故障時、高圧ガス利用システム側での充填開始動作を禁止することで、通信充填に対応していない高圧ガス供給ステーションや、通信充填機器が故障している高圧ガス供給ステーションから充填を行う場合であっても、高圧ガスが充填されるのを未然に防ぐことができる。その結果、不要な高圧ガスの放出を確実に抑制できる。
また、高圧ガス配管からのガス漏れや、減圧弁の調圧不良、及び遮断弁のシート不良を、ガス濃度や高圧ガス配管内の圧力に基づいて判断することで、高圧ガス配管、遮断弁、及び減圧弁のうち、少なくとも何れかの故障を正確に判断することができる。
【手続補正８】
【補正対象書類名】特許請求の範囲
【補正対象項目名】全文
【補正方法】変更
【補正の内容】
【特許請求の範囲】
【請求項１】
高圧ガスが貯留されるタンクと、
前記タンクに接続され、高圧ガスが流通する高圧ガス配管と、
前記高圧ガス配管を流通する高圧ガスを減圧する減圧弁と、
前記高圧ガス配管、及び前記減圧弁のうち、少なくとも何れかの故障を検知する故障判断手段と、
前記高圧ガス配管内における前記減圧弁の下流の圧力を検出する圧力検出手段と、
前記故障判断手段により故障が検知された場合に、高圧ガスの充填開始動作を禁止する充填禁止手段と、を備え、
前記故障判断手段は、前記圧力検出手段による検出圧力が所定範囲外の場合に前記減圧弁が故障していると特定することを特徴とする高圧ガス利用システム。
【請求項２】
高圧ガスが貯留されるタンクと、
前記タンクに接続され、高圧ガスが流通する高圧ガス配管と、
前記高圧ガス配管を流通する高圧ガスを減圧する減圧弁と、
前記高圧ガス配管、及び前記減圧弁のうち、少なくとも何れかの故障を検知する故障判断手段と、
前記故障判断手段により故障が検知された場合に、高圧ガスの充填開始動作を禁止する充填禁止手段と、を備え、
前記故障判断手段は、ガス濃度、または前記高圧ガス配管内の圧力に基づいて、前記高圧ガス配管からのガス漏れ、前記減圧弁の調圧不良、及び高圧ガスの供給及び遮断を切り替える遮断弁のシート不良のうち、少なくとも何れかを検知することを特徴とする高圧ガス利用システム。
【請求項３】
前記故障判断手段は、ガス濃度に基づいて、前記高圧ガス配管からのガス漏れ、前記減圧弁の調圧不良、及び前記高圧ガスの供給及び遮断を切り替える遮断弁のシート不良のうち、少なくとも何れかを検知することを特徴とする請求項１記載の高圧ガス利用システム。
【請求項４】
前記充填禁止手段は、ガス濃度が所定濃度以上の場合、及びガス濃度が所定濃度未満の場合であって、前記高圧ガス配管内の圧力が所定範囲外の場合に、高圧ガスの充填開始動作を禁止することを特徴とする請求項２または請求項３記載の高圧ガス利用システム。
【請求項５】
前記タンクには、充填口リッドにより開閉可能とされた充填口を通して、外部の高圧ガス供給ステーションから高圧ガスが充填され、
前記充填禁止手段は、前記充填口リッドの開放を規制することを特徴とする請求項１から請求項４の何れか１項に記載の高圧ガス利用システム。
【請求項６】
前記充填禁止手段は、外部の高圧ガス供給ステーションに向けて充填禁止信号を出力することを特徴とする請求項１から請求項５の何れか１項に記載の高圧ガス利用システム。
【請求項７】
前記充填禁止手段は、高圧ガスの供給及び遮断を切り替える遮断弁を閉弁することを特徴とする請求項１から請求項６の何れか１項に記載の高圧ガス利用システム。
【請求項８】
前記充填禁止手段は、前記故障判断手段により故障が検知された場合に、充填禁止フラグを設定するとともに、前記充填禁止フラグが設定されている場合に、充填開始動作を禁止することを特徴とする請求項１から請求項７の何れかに記載の高圧ガス利用システム。